(57)【要約】【課題】維持管理が容易な雨水貯留浸透設備を提供する。【解決手段】硬質槽２の側面６に形成した通水開口36に、ポーラスコンクリートにて形成されたろ過壁37を硬質槽２の内側から取り付ける。硬質槽２の貯留空間10に入り込んだ雨水Ａが通水開口36を介して弾性槽31の貯留空間32に流れ込むときに、雨水に混入している侵入物をろ過壁37にてろ過できる。弾性槽31に流れ込んだ雨水Ａが通水開口36を介して硬質槽２に流れ出るときに、ろ過壁37にてろ過した侵入物を押し出して洗浄できる。硬質槽２および弾性槽31が長期間に亘って継続して機能する。維持管理を容易かつ軽減できる。【選択図】図１
2008253977.tif 000002
【特許請求の範囲】
【請求項１】
地中に埋設される水処理装置であって、
内部に水が入り込む空間を備えコンクリートにて形成された第１の基体と、
水が流通可能で前記第１の基体の剛性より小さな剛性を有する複数のブロック部材を配列して空間が形成された第２の基体とを具備し、
前記第１の基体は、前記第２の基体に接触させて設けられ、
前記第１の基体の前記第２の基体に接触する位置には、前記第１の基体の空間を前記第２の基体の空間に連通させる開口部が形成され、
この開口部には、複数の連続した空隙を有する通水板が取り付けられている
ことを特徴とした水処理装置。
【請求項２】
第１の基体の空間は、第２の基体の空間より大きく形成され、
通水板は、第１の基体の内側から開口部に取り付けられている
ことを特徴とした請求項１記載の水処理装置。
【請求項３】
通水板は、開口部の上部の少なくとも一部を開口させた状態で、この開口部に取り付けられている
ことを特徴とした請求項１または２記載の水処理装置。
【請求項４】
通水板は、ポーラスコンクリートにて形成されている
ことを特徴とした請求項１ないし３いずれか記載の水処理装置。
【請求項５】
一対の第２の基体を具備し、
第１の基体は、この第１の基体の両側に前記第２の基体が設けられている
ことを特徴とした請求項１ないし４いずれか記載の水処理装置。
【請求項６】
一対の第１の基体を具備し、
第２の基体は、この第２の基体の両側に前記第１の基体が設けられている
ことを特徴とした請求項１ないし４いずれか記載の水処理装置。
【請求項７】
第２の基体は、前記第１の基体の上に設けられている
ことを特徴とした請求項１ないし４いずれか記載の水処理装置。
【請求項８】
複数の第１の基体および第２の基体を具備し、
これら複数の第１の基体および第２の基体は、交互に並べられて設けられている
ことを特徴とした請求項１ないし４いずれか記載の水処理装置。
【発明の詳細な説明】
【技術分野】
【０００１】
本発明は、地中に埋設される水処理装置に関する。
【背景技術】
【０００２】
従来、この種の水処理装置である雨水貯留浸透設備は、地中に埋設されており、地表面に降る雨水を側溝や桝を介して排水管から強制的に取り込んで、雨水の流出抑制や、この雨水の有効利用を目的としている。そして、この種の雨水貯留浸透設備は、プラスチック製の単位部材を配列して貯留空間を確保し、その周囲を適切なシート類で覆ったものが知られている（例えば、特許文献１ないし３参照。）。
【０００３】
さらに、この種の雨水貯留浸透設備としては、コンクリート製のボックスカルバートによるものや、コンクリート打ちで形成されたものなどが知られている（例えば、特許文献４参照。）。
【０００４】
また、この種の雨水貯留浸透設備である複合型雨水一時貯留槽としては、コンクリート製の第１貯留槽に接触させて、プラスチック製の多数の空間形成ブロックを縦横および上下に設置した第２の貯留槽が設けられた貯留空隙構造体の全体を遮水シートで覆って構成されている。そして、第１貯留槽には、越流口および流出口が設けられており、この流出口には、この流出口の上縁部に矩形板状の逆止弁の上縁部が蝶番を介して回動可能に取り付けられた構成が知られている（例えば、特許文献５参照。）。
【特許文献１】特開平９−１１２７９２号公報
【特許文献２】特開平１０−２５２１０８号公報
【特許文献３】特開平１１−２２２８８６号公報
【特許文献４】特開平７−１６６５９５号公報
【特許文献５】特開２００５−１７９９３１号公報
【発明の開示】
【発明が解決しようとする課題】
【０００５】
しかしながら、上述した雨水貯留浸透設備のうち、コンクリート製の第１貯留槽に、プラスチック製の多数の空間形成ブロックを縦横および上下に設置した第２の貯留槽を接触させた複合型雨水一時貯留槽では、この第１貯留槽の流出口に取り付けられている逆止弁が、上縁部が蝶番を介して流出口の上縁部に回動可能に取り付けられた矩形板状である。このため、この逆止弁の蝶番の部分などにごみなどが詰まるなどして正常に機能しなくするおそれがあるから、この逆止弁を定期的に点検する必要があり、維持管理が容易ではないという問題を有している。
【０００６】
本発明は、このような点に鑑みなされたもので、維持管理が容易な水処理装置を提供することを目的とする。
【課題を解決するための手段】
【０００７】
請求項１記載の水処理装置は、地中に埋設される水処理装置であって、内部に水が入り込む空間を備えコンクリートにて形成された第１の基体と、水が流通可能で前記第１の基体の剛性より小さな剛性を有する複数のブロック部材を配列して空間が形成された第２の基体とを具備し、前記第１の基体は、前記第２の基体に接触させて設けられ、前記第１の基体の前記第２の基体に接触する位置には、前記第１の基体の空間を前記第２の基体の空間に連通させる開口部が形成され、この開口部には、複数の連続した空隙を有する通水板が取り付けられているものである。
【０００８】
請求項２記載の水処理装置は、請求項１記載の水処理装置において、第１の基体の空間は、第２の基体の空間より大きく形成され、通水板は、第１の基体の内側から開口部に取り付けられているものである。
【０００９】
請求項３記載の水処理装置は、請求項１または２記載の水処理装置において、通水板は、開口部の上部の少なくとも一部を開口させた状態で、この開口部に取り付けられているものである。
【００１０】
請求項４記載の水処理装置は、請求項１ないし３いずれか記載の水処理装置において、通水板は、ポーラスコンクリートにて形成されているものである。
【００１１】
請求項５記載の水処理装置は、請求項１ないし４いずれか記載の水処理装置において、一対の第２の基体を具備し、第１の基体は、この第１の基体の両側に前記第２の基体が設けられているものである。
【００１２】
請求項６記載の水処理装置は、請求項１ないし４いずれか記載の水処理装置において、一対の第１の基体を具備し、第２の基体は、この第２の基体の両側に前記第１の基体が設けられているものである。
【００１３】
請求項７記載の水処理装置は、請求項１ないし４いずれか記載の水処理装置において、第２の基体は、前記第１の基体の上に設けられているものである。
【００１４】
請求項８記載の水処理装置は、請求項１ないし４いずれか記載の水処理装置において、複数の第１の基体および第２の基体を具備し、これら複数の第１の基体および第２の基体は、交互に並べられて設けられているものである。
【発明の効果】
【００１５】
請求項１記載の水処理装置によれば、第１の基体の第２の基体に接触する位置に形成した開口部に、複数の連続した空隙を有する通水板を取り付けたことにより、第１の基体に入り込んだ水が開口部から第２の基体へ流れ込むときに、この水に混入している塵などの侵入物が通水板の空隙を通過する際に水から除去される。また、この侵入物は、第２の基体に流れ込んだ水が開口部から第１の基体に入り込むときに、この水が通水板の空隙を通過する際に押し出される。したがって、第１の基体に水とともに入り込んだ侵入物が第２の基体に流れ込むことを通水板にて防止できるとともに、この通水板の空隙の目詰まりを防止でき、点検作業を少なくできるため、維持管理を容易にできる。
【００１６】
請求項２記載の水処理装置によれば、請求項１記載の水処理装置の効果に加え、第２の基体の空間より大きな空間の第１の基体の内側から通水板が開口部に取り付けられているので、この第１の基体の内側から通水板のメンテナンスや交換などの作業ができるので、この通水板の取り扱いを容易にできる。
【００１７】
請求項３記載の水処理装置によれば、請求項１または２記載の水処理装置の効果に加え、開口部の上部の少なくとも一部を開口させた状態で、この開口部に通水板が取り付けられているので、この通水板の空隙を通過できない水を、開口部の上部の開口させた一部から流すことができるので、大量の水であっても対応できる。
【００１８】
請求項４記載の水処理装置によれば、請求項１ないし３いずれか記載の水処理装置の効果に加え、ポーラスコンクリートにて通水板を形成したことにより、複数の連続した空隙を有する通水板をより簡略化できるので、この通水板の製造を容易にできる。
【００１９】
請求項５記載の水処理装置によれば、請求項１ないし４いずれか記載の水処理装置の効果に加え、地震時に第１の基体に掛かる振動や圧力を、この第１の基体の両側に設けられた一対の第２の基体を形成する複数のブロック部材のそれぞれの変形と、これらブロック部材間のずれとで緩衝できるから、地震時にひびや亀裂がより生じにくく信頼性をより向上できるため、維持管理を容易にできる。
【００２０】
請求項６記載の水処理装置によれば、請求項１ないし４いずれか記載の水処理装置の効果に加え、地震時に一対の第１の基体のそれぞれに掛かる振動や圧力を、これら一対の第１の基体の間に設けられた第２の基体を形成する複数のブロック部材のそれぞれの変形と、これらブロック部材間のずれとで緩衝できるから、これら一対の第１の基体それぞれの地震時のひびや亀裂を生じにくくでき、信頼性を向上できるため、維持管理を容易にできる。
【００２１】
請求項７記載の水処理装置によれば、請求項１ないし４いずれか記載の水処理装置の効果に加え、第１の基体に掛かる土圧を、第２の基体を形成する複数のブロック部材のそれぞれの変形と、これらブロック部材間のずれとで緩衝できるとともに、一般的には第２の基体の密度が土砂より小さいことが多いので、この第１の基体の上に被覆させる土砂を第２の基体に置き換えることにより、この第１の基体の上方の荷重を小さくできるため、この第１の基体の破損や損傷を少なくでき、維持管理を容易にできる。
【００２２】
請求項８記載の水処理装置によれば、請求項１ないし４いずれか記載の水処理装置の効果に加え、地震時に複数の第１の基体のそれぞれに掛かる振動や圧力を、これら複数の第１の基体と交互に並べて設置された各第２の基体を形成する複数のブロック部材のそれぞれの変形と、これらブロック部材間のずれとのそれぞれで緩衝できるから、地震時にひびや亀裂がより生じにくく、信頼性をより向上できるため、維持管理をより容易にできる。
【発明を実施するための最良の形態】
【００２３】
以下、本発明の水処理装置の第１の実施の形態を図１および図２を参照して説明する。
【００２４】
図１において、１は水処理装置としての雨水貯留浸透設備であって、この雨水貯留浸透設備１は、地表面に降った雨水Ａを貯留および浸透させる。ここで、この雨水Ａには、河川へ流れ込んだ雨水を含む。
【００２５】
すなわち、雨水貯留浸透設備１は、地中に埋設された状態で設置され、雨水Ａを図示しない側溝や桝を介して排水管などで強制的に取り込んで貯留または浸透させる２重槽であるとともに小型ツインキャスト施設としての流入放流施設である。言い換えると、この雨水貯留浸透設備１は、雨水Ａを貯留し、この貯留した雨水Ａの流出量を調整したり、地中へ浸透させたりする流出抑制施設である。
【００２６】
具体的に、この雨水貯留浸透設備１は、コンクリート製の第１の基体としての中心槽である硬質槽２を備えている。この硬質槽２は、予め形成されたボックスカルバートや現場打ち工法などで形成されている。また、この硬質槽２は、上面３、底面４および各側面５,６,７,８を有する中空な略直方体状に形成されており、内部に雨水Ａが貯留される貯留空間10を有している。そして、この硬質槽２は、この硬質槽２の内部へと流入される雨水Ａを貯留させる貯留槽としての機能を有するとともに、この雨水Ａを周囲の土砂中に浸透させる浸透槽としての機能を有している。
【００２７】
ここで、この硬質槽２は、プレキャストコンクリート製であって、流入用の流入部としての流入施設11を構成する断面略正方形状の貯留材である貯留カルバート部材12と、放流用の放流部としての放流施設13を構成する放流材としての断面長方形筒状の放流カルバート部材14とで構成されている。そして、この硬質槽２を構成する貯留カルバート部材12および放流カルバート部材14は、等しい幅寸法および長さ寸法に形成されている。また、貯留カルバート部材12は、放流カルバート部材14の高さ寸法より小さな高さ寸法に形成されている。
【００２８】
具体的に、この硬質槽２は、水平に連通させて連結された複数、例えば２つの貯留カルバート部材12を備えている。そして、この連結された２つの貯留カルバート部材12の下流側には、水平に連通させて連結された複数、例えば２つの放流カルバート部材14の上流側が連結されている。
【００２９】
ここで、これら放流カルバート部材14は、これら放流カルバート部材14の両側面５,６および上面３を貯留カルバート部材12の両側面５,６および上面３に沿わせて面一に連結されている。さらに、これら放流カルバート部材14は、これら放流カルバート部材14の底面４を貯留カルバート部材12の底面４より下方に位置させた状態で水平に連結されている。そして、これら放流カルバート部材14の底面４と上流端と、貯留カルバート部材12の底面４の下流端との間に設けられた開口である間隙部15には、これら底面４間を閉塞する細長矩形状の閉塞プレート16が垂直に取り付けられて閉塞されている。
【００３０】
そして、これら放流カルバート部材14の間には、硬質槽２内を流れる雨水Ａの量を調整するための越流板17が取り付けられている。この越流板17は、各放流カルバート部材14の底面４および両側面５,６間に連結され、これら放流カルバート部材14の上面３から所定の間隔を開けた位置までに亘って取り付けられている。さらに、この越流板17の下側には、この越流板17の厚さ方向に向けて貫通した断面円形状の流出口18が穿設されている。
【００３１】
また、下流側に位置する放流カルバート部材14の下流側には、矩形平板状のプレキャストコンクリート製の板体である閉塞板21が取り付けられて閉塞されている。そして、この閉塞板21の下側には、硬質槽２内に貯留されている雨水Ａを排出させて地中に浸透させる管状の排出管22が連通して突設されている。この排出管22は、側面視で越流板17の流出口18より下方に取り付けられている。
【００３２】
そして、上流側に位置する貯留カルバート部材12の上面３には、作業員が硬質槽２の貯留空間10内に入り込んで点検したりメンテナンスしたりするための点検口としての侵入設備23が設けられている、そして、この貯留カルバート部材12の上流側には、この貯留カルバート部材12の上流側を閉塞する閉塞板24が取り付けられており、この閉塞板24の上側には、硬質槽２内へ雨水Ａを流入させる管状の流入管25が連通して突設されている。
【００３３】
さらに、この硬質槽２の側面６には、弾性変形可能なブロック部材としての単位部材30を配列して構成した第２の基体としての周囲槽である弾性槽31が接触させて設置されている。ここで、この弾性槽31を構成する単位部材30は、硬質槽２を構成するコンクリートが有する剛性より小さな剛性を有している。すなわち、これら単位部材30は、硬質槽２を構成するコンクリートよりも容易に弾性変形するように形成されている。具体的に、これら単位部材30は、コンクリートの地震時の衝撃を吸収できる材質、例えばポリプロピレン樹脂などのプラスチック樹脂や、ステンレススチールなどの金属等の所定の弾性を有する材質で形成されている。すなわち、この弾性槽31は、硬質槽２に加わる外力を吸収あるいは緩衝できるように、この硬質槽２を構成するコンクリートの剛性率よりも小さな剛性率を有する軟質な材質の単位部材30にて形成されている。
【００３４】
ここで、これら単位部材30のそれぞれを、錆びる性質、すなわち錆性を有する金属などで形成した場合には、これら単位部材30それぞれの表面を必要に応じて防錆処理することが好ましい。
【００３５】
また、弾性槽31は、単位部材30を配列させて構成され周囲の雨水Ａが入り込んで貯留させる貯留空間32を形成させ、この貯留空間32へ流入してくる雨水Ａを貯留させる貯留槽としての機能を有するとともに、この雨水Ａを地中に浸透させる浸透槽としての機能を有している。ここで、この貯留空間32は、硬質槽２の貯留空間10よりも狭い空間に単位部材30によって仕切られており、作業者が入ることができない程度の小さな空間の集合体として構成されている。また、この弾性槽31は、硬質槽２の側面６を覆うように、この硬質槽２の側面６の水平方向に沿って接触させて設けられている。すなわち、この弾性槽31は、硬質槽２の側面６に接触させた状態で、この硬質槽２の側面６に連続して並べられて設けられている。
【００３６】
また、この弾性槽31を構成する単位部材30は、雨水Ａが挿通可能、すなわち流通可能な形状に形成されている。具体的に、この単位部材30は、例えばプラスチック製であって、図２に示すように、一端から他端に向けて拡径した截頭円筒状のパイプ部33を備えている。そして、このパイプ部33の拡径している側である他端側が、正方形板状の板状部34の一側面の中央部に連結されて、単位部材30が構成されている。さらに、弾性槽31は、単位部材30のパイプ部33の軸方向を上下方向に沿わせた状態で、これらパイプ部33の一端部同士または板状部34同士を重ね合わされて上下方向に積層されて形成されている。
【００３７】
すなわち、これら単位部材30は、これら単位部材30の各パイプ部33の軸方向を上下方向に沿わせた状態で、上下方向および水平方向に連続して並べられ接着されて固定されることなく重ねられている。さらに、これら単位部材30は、互いに嵌め込まれるなどされて組み立てられている。また、これら単位部材30は、これら単位部材30が重ねられて組み合わされた状態で、例えば透水性を有するシート35で覆われて弾性槽31として形成され、この弾性槽31の各単位部材30それぞれの空間部が、雨水Ａが流入して貯留される貯留空間32となる。
【００３８】
ここで、この弾性槽31の少なくとも底部および周囲を覆うシート35の性質を調整して、透水性を有さない遮水性シートにすることにより、この弾性槽31を貯留槽にできる。ここで、このシート35として用いる遮水性シートとしては、例えば廃棄物処理場などの遮水に使用するゴムシートや塩化ビニルなどのシートを使用できる。
【００３９】
さらに、このシート35を、透水性を有する透水性シートにすることにより、弾性槽31を浸透槽にできる。すなわち、この弾性槽31に浸透機能を持たせるためには、単位部材30を配列して得られた貯留空間32の少なくとも周囲および上部を透水性シートで覆うことで形成できる。さらに、この透水性シートの役割としては、貯留空間32内への土砂の侵入を防止する目的、および貯留空間32内に貯留された雨水Ａを地中に浸透させる目的のために使用される。したがって、この透水性シートとしては、一般的な土水用に使用される不織布などのシート35を使用できる。
【００４０】
一方、硬質槽２の各貯留カルバート部材12および上流側に位置する放流カルバート部材14それぞれの弾性槽31側に位置する側面６には、上下方向に沿った長手方向を有する長方形状の開口部としての通水開口36がそれぞれ開口形成されている。これら通水開口36は、各貯留カルバート部材12の側面６および放流カルバート部材14の側面６の水平方向である長さ方向の中央部にそれぞれ設けられている。したがって、これら通水開口36は、硬質槽２の長さ方向である奥行方向に沿って等間隔に離間させた位置に並べられて設けられている。さらに、これら通水開口は、硬質槽２の側面６に対して垂直な方向に向けて、この硬質槽２の貯留空間10を弾性槽31の貯留空間32に連通させる開口部である。
【００４１】
そして、これら通水開口36には、例えば通水性および通気性を有するコンクリートであるポーラスコンクリートにて形成された通水板としての壁体である矩形平板状のろ過壁37がそれぞれ取り付けられている。ここで、このろ過壁37を構成するポーラスコンクリートは、例えばセメントペーストやモルタルなどのバインダである結合材と、例えば石材などの粗骨材とで構成されており、少なくとも厚さ方向に向けて連続して開口した複数の図示しない空隙を有するコンクリートである。
【００４２】
すなわち、このろ過壁37は、硬質槽２の貯留空間10に貯留される雨水Ａを弾性槽31の貯留空間32内に通過できるとともに、この雨水Ａとともに硬質槽２の貯留空間10に流れ込んだ塵や土砂などの図示しない浸入物を、この雨水Ａから物理的にろ過して分離して除去できる程度の大きさの複数の間隙が、少なくとも厚さ方向に向けて貫通して形成されているポーラスコンクリート製の板状体である。
【００４３】
さらに、このろ過壁37は、各通水開口36の水平方向である幅方向に沿った幅寸法より大きな幅寸法を有するとともに、これら各通水開口36の上下方向である高さ方向に沿った高さ寸法より若干小さな高さ寸法を有する細長矩形平板状に形成されている。さらに、このろ過壁37は、各通水開口36の上側の一部を開口させた状態で、これら各通水開口36を覆うように側面６の内側から取り付けられている。すなわち、このろ過壁37は、このろ過壁37の上下方向の底部より下方に通水開口36の底部を位置させた状態で、このろ過壁37にて通水開口36を覆った状態で取り付けられて固定されている。
【００４４】
次に、上記第１の実施の形態の水処理装置の作用の作用を説明する。
【００４５】
まず、雨水貯留浸透設備１を設置する場所の地面を掘って、この掘った部分に図示しない小石を堆積させてから、この部分の一側部に予め作成した貯留カルバート部材12や放流カルバート部材14を設置したり現場でコンクリートを打つなどする現場打ち工法したりして硬質槽２を設置する。
【００４６】
次いで、この硬質槽２の各側面６に沿わせて単位部材30を上下方向および水平方向のそれぞれに向けて配列させてから、これら配列された単位部材30を覆うようにシート35を設置する。
【００４７】
この状態で、これら硬質槽２および弾性槽31の周囲および上部に図示しない土砂をかけて覆土して埋めることにより雨水貯留浸透設備１が地中に設置される。
【００４８】
そして、流入管25から雨水Ａが硬質槽２内へ入り込んでくると、この硬質槽２の貯留空間10に雨水Ａが貯留されるとともに、ろ過壁37を通過して弾性槽31内へ流入してきて各単位部材30の貯留空間32に貯留される。
【００４９】
また、この弾性槽31の貯留空間32に貯留された雨水Ａは、硬質槽２の通水開口36に取り付けられているろ過壁37を逆方向に通過して、この硬質槽２内の貯留空間10へ留出されて貯留される。
【００５０】
さらに、この硬質槽２の貯留空間10に貯留された雨水Ａは、この硬質槽２の流出口18を介して排出管22から地中へ排出されたり、他の図示しない貯水施設などへ供給されて有効利用されたりする。
【００５１】
上述したように、上記第１の実施の形態によれば、硬質槽２の貯留カルバート部材12および放流カルバート部材14の側面６に形成した通水開口36に、ポーラスコンクリートにて形成されたろ過壁37を取り付けたことにより、硬質槽２の内部に入り込んだ雨水Ａが通水開口36を介して弾性槽31の内部に流れ込むときに、この雨水Ａに混入している塵や土砂などの侵入物がろ過壁37を通過する際にろ過されて雨水Ａから除去できる。また、この侵入物は、弾性槽31に流れ込んだ雨水Ａが通水開口36を介して硬質槽12に入り込むときに、この雨水Ａがろ過壁37を通過する際に押し出さされるため、このろ過壁37が洗浄、すなわち逆洗される。
【００５２】
したがって、このろ過壁37を通水開口36に取り付けたことにより、硬質槽２の内部へと雨水Ａとともに侵入物が弾性槽31の内部に流れ込むことをろ過壁37によるろ過にて防止できるから、この弾性槽31への侵入物の流入を軽減できる。さらに、この弾性槽31から硬質槽２への雨水Ａの流れ込みによってろ過壁37が逆に洗浄されるから、このろ過壁37の目詰まりを防止できる。したがって、これら硬質槽２および弾性槽31を長期間に亘って継続して機能できるので、これら硬質槽２および弾性槽31の点検作業を少なくできる。よって、雨水貯留浸透設備１の維持管理を容易にでき、この雨水貯留浸透設備１の維持管理を軽減できる。
【００５３】
また、このろ過壁37を硬質槽２の貯留空間10の内側から通水開口36に取り付ける構成としたことにより、この硬質槽２の内側からろ過壁37のメンテナンスや交換などの作業ができるので、このろ過壁37の取り扱いを容易にできるとともに、雨水貯留浸透設備１の維持管理をより容易にできる。
【００５４】
さらに、これら通水開口36の上側の一部を開口させてろ過壁37を取り付けたため、このろ過壁37を通過できない雨水Ａを、通水開口36の上部の隙間から流すことができる。したがって、硬質槽２内にろ過壁37の高さを越える大量の雨水Ａが入り込んだ場合に、この雨水Ａをろ過壁37の上部の通水開口36の隙間から弾性槽31内へ越流できるので、大量の雨水Ａであっても対応でき、雨水貯留浸透設備１の維持管理性をより向上できる。
【００５５】
また、このろ過壁37を、連続した空隙を有するポーラスコンクリートにて形成したことにより、このろ過壁37の構成をより簡略化できるので、このろ過壁37の製造性を向上できる。
【００５６】
さらに、コンクリート製の硬質槽２の側面６に接触させて、樹脂製あるいは金属製の弾性槽31を設置した。この結果、地震時に硬質槽２に掛かる衝撃力などの地震エネルギが、この硬質槽２より小さな剛性の弾性槽31を経由してから伝わる構成となる。
【００５７】
よって、この硬質槽２に加わる地震エネルギを、弾性槽31を構成する各単位部材30それぞれの弾性変形と、これら単位部材30間のずれとのそれぞれで、吸収して軽減できる。
【００５８】
したがって、地震時の硬質槽２の破壊や破損などの損傷をより効率よく確実に免れることができると同時に、この硬質槽２のひび、亀裂あるいは割れなどの発生を効率よく防止できるから、これらひび、亀裂あるいは割れなどによる硬質槽２の機能低下のおそれを低減できる。
【００５９】
さらに、常時硬質槽２に掛かる水平方向の土圧や振動も、弾性槽31を経由してから硬質槽２に伝わるから、これら常時硬質槽２に掛かる水平方向の土圧や振動についても、弾性槽31を構成する各単位部材30の弾性変形と、これら単位部材30間のずれとで吸収できる。よって、地震時などの非常時および常時それぞれにおける雨水貯留浸透設備１の信頼性を向上できる。
【００６０】
また、コンクリート製の槽として従来から要求されている強度については、弾性槽31にて吸収される地震エネルギを考慮することによって、硬質槽２自体の強度を低減できる。したがって、この硬質槽２に用いる資材の量を減少できるとともに、この硬質槽２の施工性を向上できる。
【００６１】
次に、本発明の水処理装置の第２の実施の形態を図３ないし図５を参照して説明する。
【００６２】
この図３ないし図５に示す雨水貯留浸透設備１は、上記第１の実施の形態の雨水貯留浸透設備１の硬質槽２の各貯留カルバート部材12の側面６にのみ通水開口36を形成し、これら通水開口36にろ過壁37を取り付けたコンクリート製の流入放流施設である。そして、この硬質槽２の各貯留カルバート部材12には、通水開口36が複数、例えば２つずつ設けられている。これら通水開口36は、各貯留カルバート部材12の長さ方向の中心位置から等間隔に離間させた位置に設けられている。
【００６３】
一方、ろ過壁37は、各通水開口36の水平方向の幅寸法に等しい幅寸法を有するとともに、これら各通水開口36の上下方向である高さ方向に沿った高さ寸法より若干小さな高さ寸法を有する細長矩形平板状に形成されている。そして、これらろ過壁37は、これらろ過壁37の底部を各通水開口36の底部に接触させた状態で、これら通水開口36内に各貯留カルバート部材12の内側から嵌め込まれて、これら通水開口36の上部の一部を開口させた状態で取り付けられている。
【００６４】
さらに、硬質槽２の上流側の放流カルバート部材14の弾性槽31側に位置する側面６には、円形状の通水孔38が開口形成されている。この通水孔38は、この通水孔38の上下方向の下部を通水開口36の下部より下方に位置させた状態で設けられている。さらに、この通水孔38には、弾性槽31内へ入り込んだ雨水Ａを硬質槽２内へ流出させ、この硬質槽２内へ流出した雨水Ａを弾性槽31内へ流入させない機能を有するフラップゲート40が取り付けられている。このフラップゲート40は、通水孔38を閉塞する大きさの弁体としての蓋体である円盤状の閉塞体41を備えており、この閉塞体41の上端縁が硬質槽２の貯留空間10内である内側から蝶番42を介して通水孔38の上端縁に回動可能に取り付けられて固定されている。
【００６５】
また、この硬質槽２の越流板17の上流側には、この越流板17の流出口18を覆うように、この流出口18へ流れ込む雨水Ａから塵や土砂などの浸入物をろ過して分離するための分離手段としてのスクリーン43が取り付けられている。このスクリーン43は、越流板17の高さ寸法に等しい高さ寸法に形成されており、一つの面を開口させて矩形平板状の網状体を箱状に連結させた多面体構造に形成されている。さらに、このスクリーン43は、このスクリーン43の開口している面を越流板17の上流側に接触させて、この越流板17の流出口18を覆う状態に取り付けられている。
【００６６】
この結果、硬質槽２内に入り込んだ雨水Ａの水位が弾性槽31内に流れ込んだ雨水Ａの水位より高い場合には、この硬質槽２内の雨水Ａの水圧が弾性槽31内の雨水Ａの水圧より小さいので、この雨水Ａの水圧差によってフラップゲート40の閉塞体41が硬質槽２の内側から通水孔38に押し付けられて閉塞されるから、この硬質槽２内の雨水Ａが通水孔38から弾性槽31内へ流れない。これに対し、硬質槽２内に流れ込んだ雨水Ａの水位が弾性槽31内に流れ込んだ雨水Ａの水位より低い場合には、この硬質槽２内の雨水Ａの水圧が弾性槽31内の雨水Ａの水圧より大きいので、この雨水Ａの水圧差によってフラップゲート40の閉塞体41が硬質槽２の内側へと押されて通水孔38が開口されるから、弾性槽31内の雨水Ａが通水孔38から硬質槽２内へ流れ出る。
【００６７】
したがって、この弾性槽31内の雨水Ａの水位を硬質槽２内の雨水Ａの水位より高くなることを簡単な構成で確実に防止できるので、これら硬質槽２および弾性槽31の維持管理をより容易にできる。また、仮りに通水開口36に取り付けたろ過壁37が侵入物により目詰まりして、これらろ過壁37を介して弾性槽31内の雨水Ａが硬質槽２内へ流れ出なくなった場合であっても、この弾性槽31内の雨水Ａをフラップゲート40を介して硬質槽２へ流出できるので、これらろ過壁37が詰まった場合の処置をフラップゲート40にて救済できる。
【００６８】
次に、本発明の水処理装置の第３の実施の形態を図６および図７を参照して説明する。
【００６９】
この図６および図７に示す雨水貯留浸透設備１は、上記第２の実施の形態の雨水貯留浸透設備１の硬質槽２の放流カルバート部材14を無くし、下流側に位置する貯留カルバート部材12の下流側を閉塞板21にて閉塞したコンクリート製の流入放流施設である。この結果、この雨水貯留浸透設備１は、貯留カルバート部材12にて構成された流入施設11と、放流カルバート部材14にて構成された放流施設26とを、別個の施設として分けて設置できるとともに、この雨水貯留浸透設備１のどの位置に、これら流入施設11や放流施設26を設置することもできる。
【００７０】
次に、本発明の水処理装置の第４の実施の形態を図８を参照して説明する。
【００７１】
この図８に示す雨水貯留浸透設備１は、上記第２の実施の形態の雨水貯留浸透設備１の硬質槽２を大型化したものである。すなわち、この硬質槽２は、一対の側板部材44の間に平板状の底板部材45と蓋部材46とを連結させて構成された貯留カルバート部材12を長手方向および幅方向に連結させて構成されている。さらに、これら貯留カルバート部材12を構成する各側板部材44の幅方向の一側部には、側面視凹状の通水凹部47が設けられている。そして、これら側板部材44は、互いの通水凹部47を向かい合わせた状態で連結されて、これら側板部材44の間の一対の通水凹部47にて通水孔38を形成させる。
【００７２】
さらに、これら貯留カルバート部材12にて構成された硬質槽２の弾性槽31に接する側であって下流側から２番目に位置する側板部材44の下部には、円形状の通水孔38が開口されており、この通水孔38にフラップゲート40が取り付けられている。さらに、この硬質槽２の弾性槽31に接する側であってフラップゲート40が取り付けられた側板部材44の上流側に位置する各側板部材44には、通水開口36がそれぞれ形成されている。そして、これら各側板部材44の通水開口36には、これら側板部材44の内側、すなわち硬質槽２の貯留空間10の内側からろ過壁37が取り付けられている。
【００７３】
したがって、雨水貯留浸透設備１の硬質槽２を、一対の側板部材44の間に底板部材45と蓋部材46とを連結させて構成された貯留カルバート部材12を組み合わせて大型化する場合であっても、この硬質槽２に通水開口36を設けてろ過壁37にて覆うとともに、この硬質槽２に通水孔38を設けてフラップゲート40を取り付けることにより、弾性槽31への塵や土砂などの侵入物の流入頻度を少なくできるから、雨水貯留浸透設備１の維持管理を容易にできる。
【００７４】
すなわち、硬質槽２を大型のプャストコンクリート製の貯留施設とし、この硬質槽２と弾性槽31とを組み合わせることによって、大型の下水道施設としても使用できる。
【００７５】
次に、本発明の水処理装置の第５の実施の形態を図９ないし図１１を参照して説明する。
【００７６】
この図９および図１０に示す雨水貯留浸透設備１は、硬質槽２の周囲に弾性槽31が設けられたものである。具体的に、この硬質槽２は、上面３、底面４および各側面５,６,７,８のそれぞれが正方形状の中空な立方体状であって、この硬質槽２の各側面５,６,７,８には、この硬質槽２内へと強制的に流入された雨水Ａを周囲の土砂中に浸漬させる複数の通水孔が設けられている。さらに、この硬質槽２には、周囲の雨水Ａを内部に流入させる図示しない流入管や、溢流管、沈砂地、オリフィスなどの付帯設備が必要に応じて取り付けられている。
【００７７】
さらに、この硬質槽２の各側面５,６,７,８それぞれの周囲に弾性槽31が設置されている。また、この弾性槽31は、硬質槽２の各側面５,６,７,８のそれぞれを覆うように、この硬質槽２を水平方向に周囲に亘って覆うように設けられている。すなわち、この弾性槽31は、硬質槽２の各側面５,６,７,８に接触させた状態で、この硬質槽２の側面５,６,７,８に連続して並べられて設けられている。
【００７８】
また、この弾性槽31を構成する単位部材30は、雨水Ａが挿通可能な形状に形成されている。具体的に、この単位部材30は、図１１に示すように、複数、例えば４本の円筒状のパイプ材48を平面視で四角形の頂点に位置するように等間隔に間隔を空けて水平に並べられ、これら各パイプ材48の両端部を一対の矩形平板状の板状体49間に連結させた形状に形成されている。そして、これら単位部材30は、これら単位部材30の各パイプ材48の軸方向を上下方向に沿わせた状態で、上下方向および水平方向に連続して並べられ接着されて固定されることなく重ねられている。
【００７９】
次に、上記第５の実施の形態の水処理装置の作用の作用を説明する。
【００８０】
まず、雨水貯留浸透設備１を設置する場所の地面を掘って、この掘った部分に小石Ｂを堆積させてから硬質槽２を設置する。
【００８１】
次いで、この硬質槽２の各側面５,６,７,８を取り囲むように単位部材30を配列させてから、これら配列された単位部材30を覆うようにシート35を設置する。
【００８２】
この状態で、これら硬質槽２および弾性槽31の周囲および上部を覆土して雨水貯留浸透設備１を地中に設置する。
【００８３】
そして、地表から雨水Ａが地中へ染み込んでくると、この雨水貯留浸透設備１の周囲の雨水Ａは、弾性槽31のシート35を透過して弾性槽31内へ流入してきて各単位部材30の貯留空間32に貯留される。
【００８４】
また、この弾性槽31の貯留空間32に貯留された雨水Ａは、硬質槽２の側面５,６,７,８に形成されている通水孔38を通過して、この硬質槽２内の貯留空間10へ流入して貯留される。
【００８５】
そして、この硬質槽２の貯留空間10に貯留された雨水Ａは、この硬質槽２の貯留空間10内で地中へ浸透したり、この硬質槽２の底面４上を流れて所定の場所へ排出されたりする。
【００８６】
この結果、コンクリート製の硬質槽２の周囲に弾性槽31を設置したことにより、上記第１の実施の形態と同じ作用効果を奏することができる。
【００８７】
さらに、例えばプラスチック樹脂や金属などの所定の弾性を有する材質で単位部材30を形成し、これら単位部材30を積み重ねて弾性槽31を形成したことにより、一般的に、この弾性槽31の内部に作業者が入るスペース、すなわち空間がない場合が多い。したがって、この弾性槽31内に雨水Ａが流入するときに、この雨水Ａとともに混入する土砂や枯葉などのごみが弾性槽31内に堆積してしまった場合には、この弾性槽31内に堆積したごみを除去できない。
【００８８】
そこで、上記第５の実施の形態に示すように、コンクリート製の硬質槽２の周囲に弾性槽31を設置したことにより、この硬質槽２に雨水Ａを流入させて、この雨水Ａとともに混入してくるごみを硬質槽２内で堆積させてから、この雨水Ａを弾性槽31に流入させることにより、この雨水Ａとともに混入するごみの除去が可能となる。さらに、一般的に硬質槽２内には作業者が入るスペースが存在する場合が多いので、この硬質槽２内に作業者が入って、この硬質槽２内に堆積したごみを除去できるとともに、この硬質槽２を介して弾性槽31内をメンテナンスできるので、この弾性槽31の維持管理を容易にできる。
【００８９】
次に、本発明の水処理装置の第６の実施の形態を図１２を参照して説明する。
【００９０】
この図１２に示す雨水貯留浸透設備１は、上記第５の実施の形態の雨水貯留浸透設備１の硬質槽２を、この硬質槽２の底面４が弾性槽31の下方に位置する底面39より上方、すなわち浅い位置となるように設置させたものである。すなわち、この弾性槽31は、この弾性槽31の底面39が、硬質槽２の基礎部である底面４より深い位置に位置するように設置されている。
【００９１】
この結果、コンクリート製の硬質槽２を覆うように樹脂製あるいは金属製の弾性槽31が設置されているので、上記第５の実施の形態と同じ作用効果を奏することができる。さらに、この硬質槽２を弾性槽31より浅い位置に設置したことにより、この弾性槽31の底部に一定量の雨水Ａが溜まる構成となる。よって、この弾性槽31から硬質槽２内へ流入してくる雨水Ａの流量を調整できると同時に、この硬質槽２内が雨水Ａで満たされて満水状態になることを防止できる。
【００９２】
次に、本発明の水処理装置の第７の実施の形態を図１３を参照して説明する。
【００９３】
この図１３に示す雨水貯留浸透設備１は、上記第５の実施の形態の雨水貯留浸透設備１の硬質槽２の底面４を取り除いて開口させて、この硬質槽２内へ流入してくる雨水Ａを硬質槽２の底部から地中に浸透させる浸透型である。そして、この硬質槽２の底部は、弾性槽31の底面39の高さ位置と同じ高さ位置に設置されている。
【００９４】
この結果、コンクリート製の硬質槽２を覆うように樹脂製あるいは金属製の弾性槽31が設置されているので、上記第５の実施の形態と同じ作用効果を奏することができる。さらに、この硬質槽２の底部を開口させたことにより、この硬質槽２内へ流入してくる雨水Ａを硬質槽２内でより効率よく確実に地中に浸透できる。
【００９５】
次に、本発明の水処理装置の第８の実施の形態を図１４および図１５を参照して説明する。
【００９６】
この図１４および図１５に示す雨水貯留浸透設備１は、上記第５の実施の形態の雨水貯留浸透設備１の硬質槽２の幅方向において互いに対向する一対の側面５,６を水平方向に沿って延出させて第１の基体としての水路状の硬質水路51にするとともに、この硬質水路51の両側に位置する一対の側面５,６に接触させて第２の基体としての周囲水路である水路状の一対の弾性水路52を形成した２重水路である。
【００９７】
具体的に、硬質水路51は、硬質槽２と同じコンクリートにて形成され、この硬質水路51へ流入してくる雨水Ａを流出させる流出用水路である。すなわち、この硬質水路51は、一対の弾性水路52にて挟まれた状態で、これら一対の弾性水路52の間に接触させた状態で長手方向に沿って設けられている。言い換えると、これら硬質水路51および一対の弾性水路52は、弾性水路52、硬質水路51および弾性水路52の順に互いに接触させた状態で連続して並べられて設けられている。
【００９８】
さらに、弾性水路52は、弾性槽31と同じ樹脂製あるいは金属製の単位部材30を配列させてシートで覆って形成されている。そして、この弾性水路52もまた、硬質水路51の長手方向に沿った水路状に形成されている。
【００９９】
よって、硬質水路51へ流入した雨水Ａを流出させる流出用水路であっても、コンクリート製の硬質水路51の両側を覆うように樹脂製または金属製の弾性水路52が設置されているので、上記第５の実施の形態と同じ作用効果を奏することができる。
【０１００】
なお、硬質水路51の両端部を閉塞して、この硬質水路51を細長い貯留用の水槽として使用することもできる。また、弾性水路52を流出用の水路として用いる場合は、この弾性水路52が単位部材30を配列して形成されていることから、硬質水路51を流れる雨水Ａの流速よりも、弾性水路52を流れる雨水Ａの流速が遅くなる可能性がある。
【０１０１】
したがって、弾性水路52を流れる水の流速を、硬質水路51を流れる雨水Ａの流速よりも遅くすることにより、これら硬質水路51および弾性水路52のそれぞれに貯留されている水が一度に排出されることを防止できる。また、これら弾性水路52を流れる水の流速と、硬質水路51を流れる雨水Ａの流速とを変化させることにより、これら硬質水路51および弾性水路52を流れる雨水Ａの流量を変化させることができる。
【０１０２】
次に、本発明の水処理装置の第９の実施の形態を図１６を参照して説明する。
【０１０３】
この図１６に示す雨水貯留浸透設備１は、上記第８の実施の形態の雨水貯留浸透設備１の硬質水路51を、この硬質水路の底面４が弾性水路52の底面39より上方、すなわち浅い位置となるように設置させたものである。
【０１０４】
よって、コンクリート製の硬質水路51を覆うように樹脂製あるいは金属製の弾性水路52が設置されているから、上記第８の実施の形態と同じ作用効果を奏することができる。さらに、硬質水路51を弾性水路52より浅い位置に設置したことにより、弾性水路52から流入する雨水Ａの硬質水路51内での流量を調整できる。
【０１０５】
次に、本発明の水処理装置の第１０の実施の形態を図１７を参照して説明する。
【０１０６】
この図１７に示す雨水貯留浸透設備１は、上記第８の実施の形態の雨水貯留浸透設備１の硬質水路51の底面４を取り除いて開口させて、この硬質水路51内へ流入してくる雨水Ａを硬質水路51の底部から地中に浸透させる浸透型の水路である。この硬質水路51の底部は、弾性水路52の底面39の高さ位置と同じ高さ位置に設置されている。
【０１０７】
したがって、コンクリート製の硬質水路51を覆うように樹脂製あるいは金属製の弾性水路52が設置されているので、上記第８の実施の形態と同じ作用効果を奏することができる。さらに、この硬質水路51の底部を開口させたことにより、この硬質水路51内へ流入してくる雨水Ａを硬質水路51でより広い範囲に亘ってより効率よく確実に地中に浸透できる。
【０１０８】
次に、本発明の水処理装置の第１１の実施の形態を図１８および図１９を参照して説明する。
【０１０９】
この図１８および図１９に示す雨水貯留浸透設備１は、上記第８の実施の形態の雨水貯留浸透設備１の硬質水路51を、複数、例えば３列設置し、これら各硬質水路51の間および両側のそれぞれに弾性水路52を接触させて連続して設置させた多重水路としての流出水路である。すなわち、これら３列の硬質水路51は、等間隔に離間させた状態で水平に繰り返し並べられて設置されており、これら硬質水路51の間と、両側に位置する硬質水路51の外側とのそれぞれに連続して弾性水路52がそれぞれ設けられている。
【０１１０】
言い換えると、これら弾性水路52は、複数、例えば４列設置されており、これら弾性水路52の長手方向を平行にした状態で、等間隔に離間させて水平に並べられている。そして、これら弾性水路52は、これら各弾性水路52の間のそれぞれに硬質水路51が長手方向に沿って連続して設けられている。したがって、これら３列の硬質水路51および４列の弾性水路52は、交互に並べられて設置されている。具体的に、これら３列の硬質水路51および４列の弾性水路52は、弾性水路52、硬質水路51、弾性水路52、硬質水路51、弾性水路52、硬質水路51、弾性水路52の順に互いに接触させた状態で平行に並べられている。
【０１１１】
この結果、硬質水路51と弾性水路52とを交互に繰り返して並べた多重水路であっても、コンクリート製の各硬質水路51の両側を覆うように樹脂製あるいは金属製の弾性水路52が設置されているので、上記第８の実施の形態と同じ作用効果を奏することができる。
【０１１２】
次に、本発明の水処理装置の第１２の実施の形態を図２０を参照して説明する。
【０１１３】
この図２０に示す雨水貯留浸透設備１は、上記第１１の実施の形態の雨水貯留浸透設備１の各硬質水路51の底面４を取り除いて開口させて、これら硬質水路51内へ流入してくる雨水Ａを各硬質水路51の底部から地中に浸透させた浸透水路である。
【０１１４】
この場合も、コンクリート製の各硬質水路51を覆うように樹脂製あるいは金属製の弾性水路52がそれぞれ設置されているので、上記第１１の実施の形態と同じ作用効果を奏することができる。さらに、これら硬質水路51それぞれの底部が開口しているから、これら硬質水路51内の雨水Ａをより効率よく確実に地中に浸透できる。
【０１１５】
次に、本発明の水処理装置の第１３の実施の形態を図２１および図２２を参照して説明する。
【０１１６】
この図２１および図２２に示す雨水貯留浸透設備１は、上記第１１の実施の形態の雨水貯留浸透設備１の硬質水路51の両端部を連結させて、平面視正方形枠状に構成した硬質槽２を有する浸透槽である。この硬質槽２は、複数、例えば２つ設けられており、一方の平面視矩形状の硬質槽２内側に、他方の平面視矩形状の硬質槽２が設けられた多重槽として形成されている。さらに、これら硬質槽２の間、内側および外側のそれぞれには、これら硬質槽２の周囲を水平方向に沿って囲んで覆うように弾性槽31が長手方向に沿って連続して設けられている。
【０１１７】
よって、これら弾性槽31は、複数、例えば３つ設けられており、各硬質槽２の間、内側および外側のそれぞれ設けられている。具体的に、これら弾性槽31のうち、最も内側である中心部に位置する弾性槽31は、内側に位置する硬質槽２にて囲まれた領域内に設けられて、平面視正方形状に形成されている。
【０１１８】
また、この弾性槽31の外側に位置する弾性槽31は、内側に位置する硬質槽２と外側に位置する硬質槽２とにて囲まれた領域に設けられて、両端部が連結された平面視正方形枠状に形成されている。さらに、この弾性槽31の外側に位置する弾性槽31は、最も外側に位置する硬質槽２の外側を囲むように設けられて、両端部が連結された平面視正方形枠状に形成されている。
【０１１９】
この結果、硬質槽２と弾性槽31とを交互に繰り返して並べた多重槽であっても、コンクリート製の硬質槽２の両側を覆うように樹脂製あるいは金属製の弾性槽31が設置されているので、上記第１１の実施の形態と同じ作用効果を奏することができる。
【０１２０】
次に、本発明の水処理装置の第１４の実施の形態を図２３を参照して説明する。
【０１２１】
この図２３に示す雨水貯留浸透設備１は、上記第１３の実施の形態の雨水貯留浸透設備１の各硬質槽２の底面４を取り除いて開口させて、これら各硬質槽２内へ流入してくる雨水Ａを各硬質槽２の底部から地中に浸透させた浸透槽である。
【０１２２】
この場合も、コンクリート製の各硬質槽２を覆うように樹脂製あるいは金属製の弾性槽31がそれぞれ設置されているので、上記第１３の実施の形態と同じ作用効果を奏することができる。さらに、これら各硬質槽２それぞれの底部が開口しているから、これら硬質槽２内の雨水Ａをより効率よく確実に地中に浸透できる。
【０１２３】
次に、本発明の水処理装置の第１５（１１）の実施の形態を図２４および図２５を参照して説明する。
【０１２４】
この図２４および図２５に示す雨水貯留浸透設備１は、上記第５の実施の形態の雨水貯留浸透設備１の弾性槽31を囲んで覆うように硬質槽２を平面視正方形枠状にした２重槽である。この場合も、硬質槽２に連続して弾性槽31が設けられているので、弾性槽31を介して硬質槽２に加わる地震エネルギや土圧および振動を、弾性槽31の各単位部材30の弾性変形と、単位部材30間のずれとで吸収して軽減できる。
【０１２５】
さらに、弾性槽31を覆うように硬質槽２が設置されているので、樹脂製あるいは金属製の単位部材30を用いて形成した弾性槽31に対して通常時および地震時にかかる水平方向の土圧や振動を、コンクリート製の硬質槽２で支えることができる。したがって、この弾性槽31にかかる水平方向の土圧や振動を硬質槽２で吸収して抑制できる。
【０１２６】
また、弾性槽31を樹脂または金属などの弾性を有する素材で形成したことにより、深い場所に埋設した場合に掛かる土圧や水圧などに弾性槽31だけで十分に対抗できない場合は、この弾性槽31をコンクリート製の硬質槽２で囲んだり挟んだりすることによって、この弾性槽31に掛かる水平圧を硬質槽２で受け止めることができるから、このような場所でも弾性槽31が施工可能となる。
【０１２７】
次に、本発明の水処理装置の第１６の実施の形態を図２６を参照して説明する。
【０１２８】
この図２６に示す雨水貯留浸透設備１は、上記第１５の実施の形態の雨水貯留浸透設備１の硬質槽２を、この硬質槽２の底面４が弾性槽31の底面39より上方、すなわち浅い位置となるように設置させた２重槽である。
【０１２９】
この場合も、弾性槽31の両側に硬質槽２が設置されているので、上記第１５の実施の形態と同じ作用効果を奏することができる。また、この硬質槽２が弾性槽31より浅い位置に設置されているので、上記第２の実施の形態と同じ作用効果を奏することができる。
【０１３０】
次に、本発明の水処理装置の第１７の実施の形態を図２７を参照して説明する。
【０１３１】
この図２７に示す雨水貯留浸透設備１は、上記第１５の実施の形態の雨水貯留浸透設備１の硬質槽２の底面４を取り除いて開口させて、この硬質槽２内へ流入してくる雨水Ａを硬質槽２内で地中に浸透させる浸透型の２重槽である。
【０１３２】
この場合も、弾性槽31の両側に硬質槽２が設置されているので、上記第１５の実施の形態と同じ作用効果を奏することができる。また、硬質槽２の底部が開口しているから、この硬質槽２内の雨水Ａを、この硬質槽２内でより効率よく確実に地中に浸透できる。
【０１３３】
次に、本発明の水処理装置の第１８の実施の形態を図２８および図２９を参照して説明する。
【０１３４】
この図２８および図２９に示す雨水貯留浸透設備１は、上記第８の実施の形態の雨水貯留浸透設備１の弾性水路52の両側に硬質水路51をそれぞれ形成した２重水路である。具体的に、弾性水路52は、一対の硬質水路51にて挟まれた状態で長手方向に沿って設置されており、これら一対の硬質水路51の間に接触させた状態で設けられている。言い換えると、これら弾性水路52および一対の硬質水路51は、硬質水路51、弾性水路52および硬質水路51の順に互いに接触させた状態で連続して並べられて設けられている。
【０１３５】
この場合も、硬質水路51に連続して弾性水路52が設けられているので、上記第８の実施の形態と同じ作用効果を奏することができる。さらに、弾性水路52の両側を覆うように硬質水路51がそれぞれ設置されていることから、樹脂製あるいは金属製の弾性水路52に対して通常時および地震時にかかる水平方向の土圧を、コンクリート製の硬質水路51で支えて抑制できる。
【０１３６】
次に、本発明の水処理装置の第１９の実施の形態を図３０を参照して説明する。
【０１３７】
この図３０に示す雨水貯留浸透設備１は、上記第１８の実施の形態の雨水貯留浸透設備１の硬質水路51を、この硬質水路51の底面４が弾性水路52の底面39より上方、すなわち浅い位置となるように設置させた２重水路である。
【０１３８】
この場合も、弾性水路52の両側に硬質水路51が設置されているので、上記第１８の実施の形態と同じ作用効果を奏することができる。また、硬質水路51が弾性水路52より浅い位置に設置されているので、上記第１６の実施の形態と同じ作用効果を奏することができる。
【０１３９】
次に、本発明の水処理装置の第２０の実施の形態を図３１を参照して説明する。
【０１４０】
この図３１に示す雨水貯留浸透設備１は、上記第１８の実施の形態の雨水貯留浸透設備１の硬質水路51の底面４を取り除いて開口させて、この硬質水路51内へ流入してくる雨水Ａを硬質水路51で地中に浸透させる浸透型の２重水路である。
【０１４１】
この場合も、弾性水路52の両側に硬質水路51が設置されているので、上記第１８の実施の形態と同じ作用効果を奏することができる。また、硬質水路51の底部が開口しているから、この硬質水路51内の雨水Ａを、この硬質水路51内でより効率よく確実に地中に浸透できる。
【０１４２】
なお、上記第１５ないし第２０の実施の形態の硬質槽２および弾性槽31、あるいは硬質水路51および弾性水路52をさらに多重に繰り返して拡充して設置させて、４重の槽や水路、あるいは６重の槽あるいは水路などとすることもできる。
【０１４３】
次に、本発明の水処理装置の第２１の実施の形態を図３２および図３３を参照して説明する。
【０１４４】
この図３２および図３３に示す雨水貯留浸透設備１は、上記第８の実施の形態の雨水貯留浸透設備１の硬質槽２上に弾性槽31を接触させて重ねて設置させた２段槽である。この弾性槽31は、硬質槽２の幅寸法に等しい幅寸法を有しており、この硬質槽２の上面に弾性槽31の下面を当接させて接触させた状態で、この硬質槽２上に長手方向に沿って連続して設けられている。
【０１４５】
さらに、この弾性槽31が樹脂あるいは金属で形成され、硬質槽２がコンクリートにて形成されていることにより、弾性槽31は硬質槽２よりも単位体積当たりの質量、すなわち密度が小さく構成されている。
【０１４６】
この結果、硬質槽２に連続して弾性槽31が設けられているので、上記第５の実施の形態と同じ作用効果を奏することができる。さらに、弾性槽31は樹脂製あるいは金属製であることから、この弾性槽31が満水状態の場合であっても、この弾性槽31の密度は水の密度と余り変わらない。
【０１４７】
したがって、硬質槽２上に弾性槽31を設けてから覆土する場合には、この硬質槽２上のすべてを覆土する場合に比べ、この硬質槽２上の土砂を、一般的に土砂より密度が小さい弾性槽31に置き換えることにより、この硬質槽２の上方の荷重を小さくできる。よって、地震時による鉛直荷重は、地震時の振動の加速度と質量との積に比例するため、硬質槽２上に弾性槽31を設置することにより、地震時に硬質槽２に加わる鉛直荷重を弾性槽31にて大幅に小さくできる。
【０１４８】
次に、本発明の水処理装置の第２２の実施の形態を図３４を参照して説明する。
【０１４９】
この図３４に示す雨水貯留浸透設備１は、上記第２１の実施の形態の雨水貯留浸透設備１の硬質槽２の底面４を取り除いて開口させて、この硬質槽２内へ流入してくる雨水Ａを硬質槽２で地中に浸透させる浸透型の２重槽である。
【０１５０】
この場合も、硬質槽２上に弾性槽31が設置されているので、上記第２１の実施の形態と同じ作用効果を奏することができる。さらに、硬質槽２の底部が開口しているから、この硬質槽２内の雨水Ａをより効率よく確実に地中に浸透できる。
【０１５１】
ここで、上記第２１および２２の実施の形態では、硬質槽２上に弾性槽31を接触させて連続して設けたが、硬質槽２に掛かる垂直荷重を弾性槽31で吸収できる構成であれば、硬質槽２と弾性槽31との間に他の槽や土砂などを介在させた状態であってもよい。
【０１５２】
次に、本発明の水処理装置の第２３の実施の形態を図３５を参照して説明する。
【０１５３】
この図３５に示す雨水貯留浸透設備１は、上記第１の実施の形態の雨水貯留浸透設備１の硬質槽２を一対とし空間貯留槽として用いたものである。そして、これら一対の硬質槽２は、弾性槽31の両側に接触させて挟むよう設けられている。さらに、これら硬質槽２は、複数、例えば４個の貯留カルバート部材12を軸方向に同心状に連通させて並べて形成されている。さらに、これら硬質槽２を構成する各貯留カルバート部材12の弾性槽31に接触している側の側面５,６には、上下方向に沿って等間隔に通水孔38が複数設けられている。
【０１５４】
この結果、プラスチック製の弾性槽31の両側にプレキャストコンクリート製の硬質槽２が設置されているので、上記第１５の実施の形態と同じ作用効果を奏することができる。さらに、弾性槽31の両側に位置する硬質槽２を空間貯留槽としたことにより、この弾性槽31の点検路を確保できるとともに、この弾性槽31の維持管理を容易にできる。
【０１５５】
次に、本発明の水処理装置の第２４の実施の形態を図３６を参照して説明する。
【０１５６】
この図３６に示す雨水貯留浸透設備１は、上記第１の実施の形態の雨水貯留浸透設備１の弾性槽31を挟んだ硬質槽２の反対側に、複数、例えば４つの貯留カルバート部材12を連結させて構成された硬質槽２を接触させて設けたプレキャストコンクリート製の水路とした流入放流設備付雨水施設である。そして、２つの貯留カルバート部材12と２つの放流カルバート部材14を連結させて構成された弾性槽31の下流側に位置する貯留カルバート部材12の側面５には、流入管25が連通して突設されている。この流入管25は、この流入管25の下端縁を越流板17の上端縁に沿わせた状態で取り付けられている。
【０１５７】
また、この弾性槽２の上流側に位置する放流カルバート部材14および各貯留カルバート部材12の弾性槽31に接する側の側面６には、複数の通水孔38が形成されている。これら通水孔38は、上流側に位置する放流カルバート部材14および各貯留カルバート部材12の側面６の水平方向の中央部から等間隔に離間された位置に上下方向に沿って設けられている。
【０１５８】
この場合も、プラスチック製の弾性槽31の両側にプレキャストコンクリート製の硬質槽２が設置されているので、上記第１５の実施の形態と同じの作用効果を奏することができる。さらに、弾性槽31の両側にプレキャストコンクリート製の硬質槽２を設けて水路としたことにより、これら硬質槽２に雨水Ａを流入させたり放流させたりする設備の他、泥を溜める設備や、これら硬質槽２に図示しない点検孔などを設けるなどが可能となる。
【０１５９】
次に、本発明の水処理装置の第２５の実施の形態を図３７を参照して説明する。
【０１６０】
この図３７に示す雨水貯留浸透設備１は、上記第２３の実施の形態の雨水貯留浸透設備１の弾性槽31の両側に位置している一対の硬質槽２をプレキャストコンクリート製の浸透貯留槽とした雨水浸透施設である。そして、これら硬質槽２それぞれの幅方向の両側面５,６には、これら硬質槽２内へ流入してくる雨水Ａを周囲の土壌へ浸透させるための浸透孔となる複数の通水孔38が上下方向に亘って設けられている。これら通水孔38は、例えば平面視菱形あるいは平面視丸形に形成されている。
【０１６１】
この場合も、プラスチック製の弾性槽31の両側にプレキャストコンクリート製の硬質槽２が設置されているので、上記第１５の実施の形態と同じの作用効果を奏することができる。さらに、弾性槽31の両側にプレキャストコンクリート製の硬質槽２を設けて浸透貯留槽としたことにより、弾性槽31の点検や維持管理を容易にできるとともに、各硬質槽２への雨水Ａの流入操作を容易にできる。さらに、これら硬質槽２の通水孔38の目詰まりなどを防止できるから、雨水貯留浸透設備１の長期的な施設効果を期待できる。
【０１６２】
次に、本発明の水処理装置の第２６の実施の形態を図３８を参照して説明する。
【０１６３】
この図３８に示す雨水貯留浸透設備１は、上記第１２の実施の形態の雨水貯留浸透設備１の硬質槽２の上面３上に弾性槽31を接触させて重ねて設置させた２段槽としての雨水貯留施設である。そして、この硬質槽２の各貯留カルバート部材12それぞれの蓋部材46には、幅方向に沿った細長矩形状の通水孔38が形成されている。
【０１６４】
この結果、プレキャストコンクリート製の硬質槽２上にプラスチック製の弾性槽31が接触して重ねて設置されているので、上記第２１の実施の形態と同じ作用効果を奏することができる。また、地面自体に耐力がない場合は、硬質槽２を小さくして弾性槽31を大きくするなどして雨水貯留浸透設備１全体の質量を小さくすることで対応できる。この逆に、硬質槽２を大きくして弾性槽31を小さくするなどして雨水貯留浸透設備１全体の質量を大きくすることにより、この雨水貯留浸透設備１の地中内での浮き上がり、すなわち浮力対策にも対応できるので、種々の使用方法に応用できる。
【０１６５】
次に、本発明の水処理装置の第２７の実施の形態を図３９を参照して説明する。
【０１６６】
この図３９に示す雨水貯留浸透設備１は、上記第２６の実施の形態の雨水貯留浸透設備１の硬質槽２の上面３および各側面５,６,７,８のそれぞれを弾性槽31で覆った耐震雨水貯留施設である。この硬質槽２は、この硬質槽２の上面３と各側面５,６,７,８とのそれぞれが弾性槽31にて囲まれて覆われている。
【０１６７】
この結果、プレキャストコンクリート製の硬質槽２上にプラスチック製の弾性槽31が重なっていることにより、上記第２６の実施の形態と同じ作用効果を奏することができる。さらに、プレキャストコンクリート製の硬質槽２の上面３と各側面５,６,７,８とのそれぞれがプラスチック製の弾性槽31で囲まれていることにより、地震時に生じる地震エネルギを弾性槽31で吸収できるから、地震時の硬質槽２の変形や損傷を防止できる。したがって、この硬質槽２の破損や損傷を長期的に亘って防止できるから、雨水貯留浸透設備１の経済的な設計が可能となる。
【０１６８】
ここで、図４０に示す第２８の実施の形態のように、弾性槽31または弾性水路52を構成する単位部材30としては、図２に示す単位部材30の板状体49の各周縁部に、複数の矩形状の貫通孔61が形成された矩形板状の側面体62の縁部をそれぞれ連結させるとともに、これら側面体62同士を連結させて矩形筒状にしたものを用いることもできる。
【０１６９】
また、図４１に示す第２９の実施の形態のように、弾性槽31または弾性水路52を構成する単位部材30としては、外周面の一部に周方向に沿って拡径した拡径部63が形成され、これら拡径部63が軸方向に向けて間隔を空けて並べて設けられた略円筒状のものを用いることもできる。
【０１７０】
さらに、図４２に示す第３０の実施の形態のように、弾性槽31または弾性水路52を構成する単位部材30としては、一枚の細長矩形状の板体64を幅方向に沿って交互に屈曲させた形状のものを用いることもできる。
【０１７１】
また、図４３に示す第３１の実施の形態のように、弾性槽31または弾性水路52を構成する単位部材30としては、上方が開口した箱状の箱状体65が水平に複数連結され、これら箱状体65の底部および開口縁のそれぞれに側面視凹状の段部66がそれぞれ設けられた形状のものを用いることもできる。
【０１７２】
すなわち、弾性槽31を構成する樹脂製あるいは金属製の単位部材30としては、雨水Ａの流出抑制のために貯留槽あるいは浸透槽の材料として使用でき雨水Ａを挿通可能な形状であればどのような形状であっても良い。さらに、この単位部材30としては、この単位部材30を構成する材質自体が硬質槽２より小さな剛性を有する場合であっても、この単位部材30の形状によって各単位部材30が硬質槽２より小さな剛性を有する構成であっても良い。
【０１７３】
次いで、図４４に示す第１の比較例の雨水貯留浸透設備１は、上記第１の実施の形態の樹脂製あるいは金属製の単位部材30を配列して形成された貯留空間32を有する弾性槽31のみで構成された貯留槽であって、この弾性槽31を構成する配列された単位部材30の外周面と底面39とのそれぞれがシート35で覆われている。
【０１７４】
また、図４５に示す第２の比較例の雨水貯留浸透設備１は、上記第１の実施の形態の樹脂製あるいは金属製の単位部材30を配列して形成された貯留空間32を有する弾性槽31のみで構成された浸透槽であって、この弾性槽31を構成する配列された単位部材30の外周面のみが周方向に亘ってシート35で覆われている。
【０１７５】
したがって、これら第１および第２の比較例の雨水貯留浸透設備１に比べ、上記第１ないし第２７の実施の形態の雨水貯留浸透設備１では、弾性槽31の長手方向に沿って硬質槽２が設置されているので、弾性槽31に通常時および地震時にかかる水平方向の土圧を、コンクリート製の硬質槽２で支えて抑制できる。
【図面の簡単な説明】
【０１７６】
【図１】本発明の第１の実施の形態の水処理装置を示す一部を切り欠いた斜視図である。
【図２】同上水処理装置のブロック部材を示す斜視図である。
【図３】本発明の第２の実施の形態の水処理装置を示す一部を切り欠いた平面図である。
【図４】同上水処理装置の一部を示す断面図である。
【図５】同上水処理装置の一部を示す断面綱である。
【図６】本発明の第３の実施の形態の水処理装置を示す一部を切り欠いた平面図である。
【図７】同上水処理装置の一部を示す断面図である。
【図８】本発明の第４の実施の形態の水処理装置を示す一部を切り欠いた斜視図である。
【図９】本発明の第５の実施の形態の水処理装置の設置状態を示す断面図である。
【図１０】同上水処理装置を示す平面図である。
【図１１】同上水処理装置のブロック部材を示す斜視図である。
【図１２】本発明の第６の実施の形態の水処理装置の設置状態を示す断面図である。
【図１３】本発明の第７の実施の形態の水処理装置の設置状態を示す断面図である。
【図１４】本発明の第８の実施の形態の水処理装置の設置状態を示す断面図である。
【図１５】同上水処理装置を示す平面図である。
【図１６】本発明の第９の実施の形態の水処理装置の設置状態を示す断面図である。
【図１７】本発明の第１０の実施の形態の水処理装置の設置状態を示す断面図である。
【図１８】本発明の第１１の実施の形態の水処理装置を示す断面図である。
【図１９】同上水処理装置を示す平面図である。
【図２０】本発明の第１２の実施の形態の水処理装置を示す平面図である。
【図２１】本発明の第１３の実施の形態の水処理装置を示す平面図である。
【図２２】同上水処理装置を示す断面図である。
【図２３】本発明の第１４の実施の形態の水処理装置を示す断面図である。
【図２４】本発明の第１５の実施の形態の水処理装置の設置状態を示す断面図である。
【図２５】同上水処理装置を示す平面図である。
【図２６】本発明の第１６の実施の形態の水処理装置の設置状態を示す断面図である。
【図２７】本発明の第１７の実施の形態の水処理装置の設置状態を示す断面図である。
【図２８】本発明の第１８の実施の形態の水処理装置の設置状態を示す断面図である。
【図２９】同上水処理装置を示す平面図である。
【図３０】本発明の第１９の実施の形態の水処理装置の設置状態を示す断面図である。
【図３１】本発明の第２０の実施の形態の水処理装置の設置状態を示す断面図である。
【図３２】本発明の第２１の実施の形態の水処理装置を示す断面図である。
【図３３】同上水処理装置を示す側面図である。
【図３４】本発明の第２２の実施の形態の水処理装置を示す断面図である。
【図３５】本発明の第２３の実施の形態の水処理装置を示す一部を切り欠いた斜視図である。
【図３６】本発明の第２４の実施の形態の水処理装置を示す一部を切り欠いた斜視図である。
【図３７】本発明の第２５の実施の形態の水処理装置を示す一部を切り欠いた斜視図である。
【図３８】本発明の第２６の実施の形態の水処理装置を示す一部を切り欠いた斜視図である。
【図３９】本発明の第２７の実施の形態の水処理装置を示す一部を切り欠いた斜視図である。
【図４０】本発明の第２８の実施の形態の水処理装置のブロック部材を示す斜視図である。
【図４１】本発明の第２９の実施の形態の水処理装置のブロック部材を示す斜視図である。
【図４２】本発明の第３０の実施の形態の水処理装置のブロック部材を示す斜視図である。
【図４３】本発明の第３１の実施の形態の水処理装置のブロック部材を示す斜視図である。
【図４４】第１の比較例の水処理装置を示す斜視図である。
【図４５】第２の比較例の水処理装置を示す斜視図である。
【符号の説明】
【０１７７】
１    水処理装置としての雨水貯留浸透設備
２    第１の基体としての硬質槽
10    空間としての貯留空間
30    ブロック部材としての単位部材
31    第２の基体としての弾性槽
32    空間としての貯留空間
36    開口部としての通水開口
37    通水板としてのろ過壁
51    第１の基体としての硬質水路
52    第２の基体としての弾性水路
Ａ    水としての雨水
【図１】
2008253977.tif 000003
【図２】
2008253977.tif 000004
【図３】
2008253977.tif 000005
【図４】
2008253977.tif 000006
【図５】
2008253977.tif 000007
【図６】
2008253977.tif 000008
【図７】
2008253977.tif 000009
【図８】
2008253977.tif 000010
【図９】
2008253977.tif 000011
【図１０】
2008253977.tif 000012
【図１１】
2008253977.tif 000013
【図１２】
2008253977.tif 000014
【図１３】
2008253977.tif 000015
【図１４】
2008253977.tif 000016
【図１５】
2008253977.tif 000017
【図１６】
2008253977.tif 000018
【図１７】
2008253977.tif 000019
【図１８】
2008253977.tif 000020
【図１９】
2008253977.tif 000021
【図２０】
2008253977.tif 000022
【図２１】
2008253977.tif 000023
【図２２】
2008253977.tif 000024
【図２３】
2008253977.tif 000025
【図２４】
2008253977.tif 000026
【図２５】
2008253977.tif 000027
【図２６】
2008253977.tif 000028
【図２７】
2008253977.tif 000029
【図２８】
2008253977.tif 000030
【図２９】
2008253977.tif 000031
【図３０】
2008253977.tif 000032
【図３１】
2008253977.tif 000033
【図３２】
2008253977.tif 000034
【図３３】
2008253977.tif 000035
【図３４】
2008253977.tif 000036
【図３５】
2008253977.tif 000037
【図３６】
2008253977.tif 000038
【図３７】
2008253977.tif 000039
【図３８】
2008253977.tif 000040
【図３９】
2008253977.tif 000041
【図４０】
2008253977.tif 000042
【図４１】
2008253977.tif 000043
【図４２】
2008253977.tif 000044
【図４３】
2008253977.tif 000045
【図４４】
2008253977.tif 000046
【図４５】
2008253977.tif 000047